(57)【要約】【課題】牛に及ぼすストレスが小さく、回収卵数が増加し、また、投与回数の減少により作業労力が軽減される牛の過排卵誘起剤及び過排卵誘起方法を提供する。【解決手段】水酸化アルミニウムゲル及び性腺刺激ホルモンを含み、水酸化アルミニウムゲルが１ｍｌ当たりアルミニウムとして１．０ないし５．０ｍｇを含有する懸濁液であり、牛１頭分の投与量が、水酸化アルミニウムとして２ないし２０ｍｌであり、性腺刺激ホルモンとして１０ＡＵないし５０ＡＵである。更に水酸化アルミニウムゲル及び性腺刺激ホルモンを含む牛の過排卵誘起剤を、雌牛に投与する。【選択図】  なし【特許請求の範囲】
【請求項１】
水酸化アルミニウムゲル及び性腺刺激ホルモンを含む牛の過排卵誘起剤。
【請求項２】
水酸化アルミニウムゲルが、１ｍｌ当たりアルミニウムとして１．０ないし５．０ｍｇを含有する懸濁液であることを特徴とする請求項１記載の牛の過排卵誘起剤。
【請求項３】
水酸化アルミニウムゲル懸濁液の、牛１頭分の投与量が２ないし２０ｍｌであることを特徴とする請求項１又は２記載の牛の過排卵誘起剤。
【請求項４】
牛１頭分の投与量が、性腺刺激ホルモンとして１０ＡＵないし５０ＡＵであることを特徴とする請求項１ないし３のいずれかに記載する牛の過排卵誘起剤。
【請求項５】
水酸化アルミニウムゲル及び性腺刺激ホルモンを含む牛の過排卵誘起剤を、雌牛に投与することを特徴とする牛の過排卵誘起方法。
【発明の詳細な説明】
【０００１】
【発明が属する技術分野】
本発明は、牛に及ぼすストレスが少なく、１回の投与で有効に牛の過排卵を誘起し、回収卵数が増加する牛の過排卵誘起剤及び過排卵誘起方法に関する。
【０００２】
【従来の技術】
牛の受精卵移植技術による優良子牛の生産は畜産業における重要な課題である。一般に移植には体内受精卵或いは体外受精卵が用いられているが、移植後の受胎率は概して体内受精卵の方が高い。また、体内受精卵は１頭の雌牛から繰返し採取できるため、母性遺伝を活用した育種の上でも体内受精卵を活用する意義は大きい。そのため、多数の体内受精卵を生産し、移植に供することは受精卵移植による妊娠率の向上に大いに貢献する。
現在、多数の体内受精卵を生産する方法として、雌牛に性腺刺激ホルモン製剤を多回投与して過排卵を誘起した後、人工授精を行い、後に受精卵を回収する多回投与法がある。
【０００３】
【発明が解決しようとする課題】
しかしながら、この方法はホルモン剤の投与が多数回に及ぶため、牛のストレスが大きく回収卵数が減少する上に、過排卵作業の労力が大きく、獣医師への負担も大きいという欠点があった。そこで、牛にストレスを与えることが少なく、簡易に投与できる牛の過排卵誘起剤が求められていた。
【０００４】
【課題を解決するための手段】
本発明は上記課題を解決することを目的とし、その構成は、水酸化アルミニウムゲル及び性腺刺激ホルモンを含み、水酸化アルミニウムゲルが１ｍｌ当たりアルミニウムとして１．０ないし５．０ｍｇを含有する懸濁液であり、牛１頭分の投与量が、水酸化アルミニウムとして２ないし２０ｍｌであり、性腺刺激ホルモンとして１０ＡＵないし５０ＡＵであることを特徴とする。更に水酸化アルミニウムゲル及び性腺刺激ホルモンを含む牛の過排卵誘起剤を、雌牛に投与することを特徴とする。
【０００５】
本発明者らは水酸化アルミニウムゲルの吸着能に着目して実験を行った結果、水酸化アルミニウムゲルは性腺刺激ホルモンの吸着能が極めて高い上、体液により適度に再溶出される事実を見出し、これを牛の過排卵技術に適用することにより本発明を完成するにいたった。水酸化アルミニウムゲルは人体用医薬品の賦形剤としても汎用され、安全性が証明されているのでこの薬剤を投与した牛を食用に供しても安全である。
【０００６】
【発明の実施の形態】
本発明においては、水酸化アルミニウムゲルは如何なる製法によるものでも滅菌してあれば使用できる。例えば、塩化アルミニウムを水で薄め、水酸化ナトリウムを加えてｐＨを６〜７に調整して製造することが好ましい。更に、硫酸アンモニウムアルミニウム１２水和物水溶液にアンモニア水を加えて水酸化アルミニウムの沈殿を形成させ、蒸留水で沈殿を洗浄し、ネスラー試薬で確認しながら残存アンモニアを除去し、ゲルを生理的リン酸緩衝液または生理食塩水に懸濁する方法で調製することもできる。
得られた水酸化アルミニウムゲルの懸濁液は滅菌する。滅菌はオートクレーブによる方法が好ましいが、殺菌剤を水酸化アルミニウムゲル懸濁液に加えてもよい。
【０００７】
水酸化アルミニウムゲルは、懸濁液１ｍｌ当たり１．０〜５．０ｍｇのアルミニウムを含有する。１．０ｍｇ以下では性腺刺激ホルモンの吸着が充分でなく、５．０ｍｇを越えると懸濁液に粘性がでて扱い難くなる。
牛１頭分の投与量は２〜２０ｍｌ、好ましくは３〜１０ｍｌである。２ｍｌ以下では性腺刺激ホルモンの吸着が充分でなく、２０ｍｌを越えると牛に苦痛を与える。
【０００８】
性腺刺激ホルモンは、ＡＵ（アーマー単位）で表示される卵胞刺激ホルモン（Follicle Stimulating Hormone、略称ＦＳＨ）が用いられるが、ＡＵに相当する生物学的力価を発現する他の性腺刺激ホルモンも包含する。その投与量は牛１頭分投与量として１０〜５０ＡＵ、好ましくは２０〜４０ＡＵを含むものが好ましい過排卵成績を示す。
【０００９】
本発明牛の過排卵誘起剤は、ＦＳＨを溶解した生理食塩水と水酸化アルミニウムゲル懸濁液を混合することにより得られる。牛の過排卵を誘起するにはこの過排卵誘起剤を一般に黄体期の雌牛に筋肉投与し、４８〜７２時間後にプロスタグランジンＦ 2α投与により黄体を退行させて発情を誘起し、適期に人工授精を行えばよい。
【００１０】
【実施例】
実施例１
水酸化アルミニウムゲルの調製
無水換算で８ｇの塩化アルミニウムを水に溶解して６００ｍｌの水溶液を調製し、水酸化ナトリウム約３ｇを水溶液にしてｐＨ６．５〜６．６になるまで徐々に加え、水を加えて全量１リットルとした。この懸濁液１００ｍｌを、１００ｍｌバイアルに充填してゴム栓とアルミキャップで密封した。オートクレーブで１０５℃、３０分の条件で滅菌した。この液は上層部が澄明で、下層部が白濁し下層部は全量の２／３程度であった。これを均一に混合し懸濁液として使用した。この水酸化アルミニウムゲルの懸濁液は定量した結果、アルミニウム１．６ｍｇ／ｍｌであった。
【００１１】
ゲル担体へのＦＳＨ吸着試験−in vitro−
３０ＡＵのＦＳＨを生理食塩水１ｍｌに溶解し、４ｍｌの水酸化アルミニウムゲル懸濁液と混合した。これを１５００Ｇで１５分間遠心し、その上清４．５ｍｌを得た。残った沈殿に１％牛血清アルブミン−生理的リン酸緩衝液４．５ｍｌを添加し、振盪した後、再度同一条件で遠心処理を行い上清を得た。これら上清のＦＳＨ量を測定し、ゲルのＦＳＨ吸着能について検討を行った。
【００１２】
３０ＡＵのＦＳＨを生理食塩水１ｍｌに溶かしたときの濃度を、ＵＣＢ  Bioproducts 社製の標準品を用いて測定したところ、３３３μｇ／ｍｌであった。遠心上清中に含まれていた総量は２９９ｎｇであり、これはＦＳＨ添加量の０．０８９％であった。以上の結果からＦＳＨの９９．９％は水酸化アルミニウムゲルに吸着されておりこの担体がＦＳＨを効率的に吸着することが明らかになった。また、１％牛血清アルブミン−生理的リン酸緩衝液を加えて振盪・遠心した後の上清には２４７μｇのＦＳＨが含まれており、吸着したＦＳＨの７４．２％が再溶出していた。このことは担体に吸着されたＦＳＨが牛血清アルブミンによって置換され、ゲルから溶液中に再溶出したことを示しており、生理的な条件でも同様の効果が期待される。
【００１３】
ゲル担体へのＦＳＨの吸着試験−in vivo −
ＦＳＨ２０ＡＵ及び３０ＡＵを５ｍｌの水酸化アルミニウムゲル懸濁液に溶解して製剤を作成し、それぞれを雌牛３頭ずつに投与した。投与後、５、１０、１５、２０、３０、４０分、１、１．５、２、３、４、６、８、１２時間、１、２、３、４、５、６、７日に血液を採取し血漿中に含まれるＦＳＨ量を測定した。
【００１４】
試験の結果を図１に示した。図１より以下の事実が判明した。２０ＡＵ及び３０ＡＵの両投与量とも投与後約２時間はＦＳＨがほとんど検出されなかった。その後、ＦＳＨ濃度は上昇し、１２時間をピークとして以後徐々に低下した。また、血漿中の濃度は投与量に依存しており、投与後１２時間のＦＳＨ３０ＡＵ投与区の濃度は２０ＡＵ投与区の濃度の１．５倍の値を示した。以上の結果から水酸化アルミニウムゲルを担体とした場合、体内においても体外と同じくＦＳＨを効率的に保持し、徐々に放出することが明らかとなった。
【００１５】
製剤による過排卵誘起試験−in vivo −
ＦＳＨ２８ＡＵを生理食塩水１ｍｌ及び２ｍｌに溶解し、実施例１で作成した水酸化アルミニウムゲル懸濁液と配合し、雌牛投与用の製剤を作成した。配合量及び配合比は１＋９、２＋８及び１＋４であり、＋の前に記した数値はＦＳＨ２８ＡＵを含む生理食塩水のｍｌ数であり、＋の後に記した数値は製剤に使用した水酸化アルミニウムゲルのｍｌ数である。
【００１６】
それぞれの製剤を黄体開花期の雌牛に一回筋肉注射にて投与し、４８時間後プロスタグランジンＦ 2α投与により発情を誘起し、適期に人工授精を行った。
一方、生理食塩水に溶解したＦＳＨをそれぞれ５、５、４、４、３、３、２、２ＡＵを１２時間毎に８回４日間筋肉内に注射する現行法の多回投与区を対照区とした。  発情７日後に子宮灌流によって受精卵を回収し、その品質を評価すると共に、超音波診断装置により黄体数と残存卵胞数をカウントした。
試験結果を表１に示した。ホルモンと担体を１＋４の割合で混合した製剤を用いた場合、対照区と比べて多くの回収卵が得られ、また正常胚数も多かった。この結果から、本発明の過排卵誘起剤を用いる方法は従来行われている多数回投与法よりも優れていることが明らかになった。
【００１７】
【表１】
2004203750.tif 000002
【００１８】
【発明の効果】
本発明により、牛に及ぼすストレスが少なく回収卵数が増加し、また、投与回数の減少により作業労力が軽減される牛の過排卵誘起剤及び過排卵誘起方法を提供することができる。
【図面の簡単な説明】
【図１】図１は雌牛に投与後の経過時間とＦＳＨの血漿中濃度との関係を示すグラフである。
【図１】
2004203750.tif 000003